(57)【特許請求の範囲】
【請求項１】
アンカー部材の基端を地中内の地中定着部で固定させ、同アンカー部材の先端部分を法面上に設置した地上定着部の貫通孔に貫入させ、貫通したアンカー部材の先端を緊締するように地上定着部に固定させた法面アンカー構造に於いて、貫通孔を下方向に従って拡巾するコーン状に形成し、貫通孔の下端にアンカー部材を貫通させてアンカー部材の貫通角度を規制する角度規制部材を設け、しかも角度規制部材が貫通孔の下端の孔径と同じ外径の円板にその円板中心から偏心した位置にアンカー部材ガイド孔を開口した構造であることを特徴とする法面アンカー構造。
【請求項２】
コーン状パイプを外周リブを介して地上定着部本体に取付け、同コーン状パイプの内部空間を貫通孔とした請求項１記載の法面アンカー構造。
【発明の詳細な説明】
【０００１】
【発明の属する技術分野】
本発明は、法面の地盤にアンカー部材を打ち込み、その地中内の基端を地中アンカー定着部で固定し、アンカー部材の法面より突出した先端部をコンクリート・鉄鋼等で製作された強度ある地上定着部に緊締して法面の安定と保護をする法面保護の為の法面アンカー構造に関する。
【０００２】
【従来の技術】
従来、法面アンカーの地上定着部はコンクリート・鋼製が普通であり、図７に示すように、この地上定着部１０の中央に円筒状パイプ１２を取付け円柱状の貫通孔１１を開口し、同貫通孔にアンカー部材２の先端部材を挿入し、貫通したアンカー部材２の先端を緊締状態で枕部材１３，止具１４で地上定着部本体１０ａに固定させている。又、貫通孔１１は、パイプ１２の外周に複数のリブ１２ａを熔接したものを地上定着部材本体１０ａの中央に溶着して取付け、そのパイプ内部を貫通孔１１とされるものである。
地上定着部１０は、法面４に沿って設置されるが、アンカー部材２は地盤の状態によって法面と直交する法線方向に打ち込まれず、法面の法線から２０°〜３０°程度傾いた角度で打ち込まれたり、又山側以外の方位に打ち込まれる場合がしばしば発生する。
この場合に地上定着部の貫通孔は地上定着部本体１０ａの法線方向から傾くようになるようにしなくてはならない。従来、貫通孔１１を傾かせるためには工場でパイプ１２及びそのリブ１２ａを傾斜させた形状に整形・配置し、地上定着部本体１０ａに熔接等で固定させていた。
このパイプ１２とリブ１２ａとを法線からの傾き方位を変えるように整形し、又地上定着部本体１０ａと熔接することは手間と労力のかかる作業であった。又一部のリブに集中荷重が働くことになって耐久性が低下することがあった。
次に、従来の地上定着部１０の貫通孔１１を大きくしてアンカー部材２を遊びがあるように貫通孔に挿入し、その遊びですることもなされているが、この方法では地上定着部１０をクレーン等に吊してその貫通孔１１内にアンカー部材２の先端部に入れて法面に設置するときに、貫通孔１１とアンカー部材２との遊びによって地上定着部１０の設置方位・傾きが定まらず、地上定着部１０の設置誤差が大きくなるという問題点があった。
【０００３】
【発明が解決しようとする課題】
本発明が解決しようとする課題は、従来のこれらの問題点を解消し、アンカー部材を地上定着部本体の法線方向から自在な方位・傾きで固定でき、又傾き・方位の変更が容易で、均一に荷重させることが可能で耐久性があるとともに、正確に所定の傾き角度に出来る法面アンカー構造を提供することにある。
【０００４】
【課題を解決するための手段】
かかる課題を解決した本発明の構成は、
１）  アンカー部材の基端を地中内の地中定着部で固定させ、同アンカー部材の先端部分を法面上に設置した地上定着部の貫通孔に貫入させ、貫通したアンカー部材の先端を緊締するように地上定着部に固定させた法面アンカー構造に於いて、貫通孔を下方向に従って拡巾するコーン状に形成し、貫通孔の下端にアンカー部材を貫通させてアンカー部材の貫通角度を規制する角度規制部材を設け、しかも角度規制部材が貫通孔の下端の孔径と同じ外径の円板にその円板中心から偏心した位置にアンカー部材ガイド孔を開口した構造であることを特徴とする法面アンカー構造
２）  コーン状パイプを外周リブを介して地上定着部本体に取付け、同コーン状パイプの内部空間を貫通孔とした前記１）記載の法面アンカー構造
にある。
【０００５】
【発明の実施の形態】
本発明の地中定着部は鉄鋼，コンクリート，強化プラスチック等の高い強度と耐久性を有する素材を用いて製造される。又地中定着部の平面形状は、実施例の如く、十字状の他に、正方形状・星型・ドーム状等があり、平面形状，内部構造は限定されるものではなく、現場に適したものが採用される。
又、コーン状の貫通孔の開き角度は０°〜６０°（地上定着部の法線方向に対して０〜±３０°の角度）が普通である。
【０００６】
【実施例】
以下、本発明の実施例を図面に基づいて説明する。本実施例は、鉄鋼製の十字形状の地上定着部１であって、その中心に略３０°開き角の円錐状のパイプ１ｄをリブ１ｆで地上定着部本体１ａに熔接で固定し、又その下端に円板の偏心位置にアンカー部材ガイド孔１ｈを開口した角度規制部材１ｇを熔接した例である。
図１は、実施例の地上定着部の縦断面図である。
図２は、実施例の地上定着部の平面図である。
図３は、実施例の地上定着部の内部リブを示す説明図である。
図４は、実施例の要部を示す拡大断面図である。
図５は、実施例の使用状態を示す説明図である。
図６は、角度規制部材の他の例を示す説明図である。
図中、１は実施例の平面形状が十字状の横縦２．４ｍ寸法の地上定着部、１ａは地上定着部１の地上定着部本体、１ｂは同地上定着部の中央部のコア部分、１ｃは十字状のアーム部分、１ｄは開き角略３０°の上端１１０ｍｍ直径，下端４００ｍｍ直径の円錐コーン状の鋼製パイプ、１ｅは同パイプの内部に形成される円錐コーン状の貫通孔、１ｆはパイプ１ｄを支持するリブで、地上定着部本体１ａのコア部分１ｂの部材に熔接で固着されている。１ｇは貫通孔１ｅの下端内径と同じ径の外径の鋼製円板の角度規制部材であって、パイプ１ｄの下端に熔接で固着されている。１ｈは同角度規制部材の偏心した位置に設けたアンカー部材ガイド孔、１ｉはアンカー部材２を直交した状態で固定するためのコア部分１ｂの貫通孔１ｅ上方に置かれる枕部材、１ｊはアンカー部材２の先端を枕部材１ｉ上で固定する止具、１ｋはアーム部分１ｃの内部に設けたリブ板、２はアンカー部材、３はアンカー部材２の基端をコンクリートで拡巾状態にした地中定着部、４は法面である。
この実施例では、アンカー部材２の打ち込み、及び地中定着部３の工事は従来通り法面現場で行なわれる。この時、現場の法面４の地盤に応じて、適切なアンカー部材２の法面の法線からの傾き角と方位が定められる。
鋼製の地上定着部１は、これが使われる法面における方位・傾きにかかわらず共通で同一でよいので、円板状の角度規制部材１ｈを除いた残り部分（９８％以上の部分）を複数工場で製造する。次に、法面の現場におけるアンカー部材２の法線からの傾き角度に対応した所定の偏心距離にアンカー部材ガイド孔１ｈを開口した角度規制部材１ｇを製造し、同角度規制部材１ｇをその設置法面におけるアンカー部材２の方位に合せてパイプ１ｄの下端に熔接で固定する。
このようにパイプ１ｄは地上定着部１に対するアンカー部材２の傾き、方位に関係なく共通であるので大部分同じ構造であり、残りは角度規制部材１ｇを熔接で固定するのみであるので地上定着部１の製造は容易である。又、パイプ１ｄとリブ１ｆは対称を保有しているのでその製造・組み立ては容易であり、又均一にアンカー部材２の引張力及び重量を法面４に荷重できる。又、地上定着部１は法面４の現場でクレーンで吊り上げ、所定のアンカー部材２の先端部を角度規制部材１ｇのアンカー部材ガイド孔１ｈから挿入し、パイプ１ｄの円錐コーン状の貫通孔１ｅから上方へ突き出させる。この状態で地上定着部１は、アンカー部材２の先端まわりに直交した面で回転でき、方位は自在にとれるが先端部と直交する面から傾きが変動することがない。即ち、角度規制部材１ｇのアンカー部材ガイド孔１ｈの偏心によって定まった傾き角度を維持しながら、その地上定着部１の設置方位は自在（法面と接触して制限されない限り）に変更できる。地上定着部１の方位は法面４の斜面の上下方向に十字のアンカー部分１ｃを向けるように一般に設置される。本実施例の地上定着部１の法線に対するアンカー部材２の傾きは略１５°である。このように地上定着部１をアンカー部材２の先端部をパイプ１ｄの貫通孔１ｅを貫通するようにして法面４に所定の方位に設置した後、パイプ１ｄの上端にアンカー部材２を貫通するように三角形状の枕部材１ｉを置き、同枕部材１ｉを突出したアンカー部材２の先端を緊張した状態で止具１ｊで固定する。
本実施例では、地上定着部１のパイプ１ｄは方位・傾きに関係せず共通で、対称形をしているので、特定のリブに集中荷重することが少なく、大略均一に荷重を法面に負荷できる。傾き角度の調整は、円板状の角度規制部材１ｇのアンカー部材ガイド孔１ｈの偏心距離が違うものを選べば又は製作すれば可能であり、方位は現場での地上定着部１の回転で傾き角を保ちながら容易に変更しうる。
従って、種々の角度に対応するには偏心距離が違う複数の角度規制部材１ｈを用意するだけでよいので、種々の角度に対する対応性はきわめて高い。図５に、その種々の角度規制部材の平面状態を示している。
【０００７】
【発明の効果】
以上の様に、本発明によれば地上定着部のアンカー部材の貫通孔をコーン状にしたことで地上定着部の設置面と直交する法線と方向から傾くように打設したアンカー部材を容易に定着できる。又その傾き角度に対して自在に対応でき、傾き角度に応じてパイプ等を傾けるように設計を変更して製造する必要がほとんどなく、自在に傾き角に対応できる。共通の地上定着部で対応できるので製造コストが低減でき、又一部に集中荷重させることなく均一に引張荷重・自重を法面にかけることができ、よって耐久性もあるものとした。
又角度規制部材を設けたので、地上定着部を吊り下げて設置する際その傾き角の遊びが少なくなるので正確に所定の角度に出来る。
【図面の簡単な説明】
【図１】実施例の地上定着部の縦断面図である。
【図２】実施例の地上定着部の平面図である。
【図３】実施例の地上定着部の内部リブを示す説明図である。
【図４】実施例の要部を示す拡大断面図である。
【図５】実施例の使用状態を示す説明図である。
【図６】角度規制部材の他の例を示す説明図である。
【図７】従来の地上定着部の傾斜させたパイプによる定着状態を示す説明図である。
【符号の説明】
１  地上定着部
１ａ  地上定着部本体
１ｂ  コア部分
１ｃ  アーム部分
１ｄ  パイプ
１ｅ  貫通孔
１ｆ  リブ
１ｇ  角度規制部材
１ｈ  アンカー部材ガイド孔
１ｉ  枕部材
１ｊ  止具
１ｋ  リブ板
２  アンカー部材
３  地中定着部
４  法面
【図１】
0003597745.tif 000002
【図２】
0003597745.tif 000003
【図３】
0003597745.tif 000004
【図４】
0003597745.tif 000005
【図５】
0003597745.tif 000006
【図６】
0003597745.tif 000007
【図７】
0003597745.tif 000008